(57)【要約】  【課題】  壁仕上げ材と床仕上げ材との端部に生じ得る切断寸法の誤差を許容することが可能であり、壁仕上げ材と床仕上げ材の接合部が巾木箇所から剥離することを防止することができ、施工が比較的容易な巾木ユニットを提供する。【解決手段】  壁仕上げ材の下端を覆う第一の固定部材と、壁面下端に立ち上げられた床仕上げ材の辺端部を覆うため第一の固定部材に係合するように形成された第二の固定部材とを備える。第一の固定部材は、壁仕上げ材の下端を覆う壁材被覆部と、入り隅の壁面に当接して固定される壁面固定部と、第二の固定部材を係止し得るように形成された受け部とを備え、第二の固定部材は、床仕上げ材の辺端部を壁面で覆う床材被覆部と、第一の固定部材の受け部に挿着されて係止する係合部とを備え、係合部は受け部に挿着するときに弾性変形し得るように形成されたものである。【選択図】  図１
2006316445.tif 000002
【特許請求の範囲】
【請求項１】
壁面よりも引込んで凹状に形成された壁面下端の巾木箇所に設けられる巾木ユニットであって、壁仕上げ材の下端を前記凹状部内で覆うため該凹状部の入り隅に固定される第一の固定部材と、壁面下端に立ち上げられた床仕上げ材の辺端部を壁面で覆うため前記第一の固定部材に係合するように形成された第二の固定部材とを備える巾木ユニット。
【請求項２】
前記第一の固定部材は、壁仕上げ材の下端を覆う壁材被覆部と、入り隅の壁面に当接して固定される壁面固定部と、前記第二の固定部材を係止し得るように形成された受け部とを備え、前記第二の固定部材は、床仕上げ材の辺端部を壁面で覆う床材被覆部と、前記第一の固定部材の受け部に挿着されて係止する係合部とを備え、前記係合部は前記受け部に挿着するときに弾性変形し得るように形成されたものである請求項１に記載の巾木ユニット。
【発明の詳細な説明】
【技術分野】
【０００１】
本発明は、壁面の基部における壁仕上げ材と床仕上げ材との取合い部分に設けられる巾木ユニットに関する。
【背景技術】
【０００２】
従来の住宅や事務所等の建物においては、壁が床に接する壁面基部に、壁仕上げ材の下端部、または床仕上げ材の辺端部、あるいは両仕上げ材の取合い部分の納まりを良くするための巾木が設けられている。この巾木には、壁面よりも出っ張った出巾木、壁面とほぼ同じ面で形成される巾木、あるいは壁面よりも引込んで凹状に形成された入り巾木とがある。
【０００３】
例えば、精密機械工場等におけるクリーンルームでは、巾木部分に埃が溜まらない防塵仕様とするため、入り巾木が使用されることが多い。ここで、入り巾木とは、出巾木のように横方向に延びる長尺部材を巾木として取り付けたものではなく、壁面より引込むように壁面下端に形成された凹状部を意味するものであり、この凹状部（巾木箇所）で壁仕上げ材の下端部と床仕上げ材の辺端部とが接合される。
すなわち、クリーンルームの一般的な仕様は、図３に示したように、壁面３０にクリーンルーム用のビニールクロス３１が貼着され、このビニールクロス３１の下端部３１ａが凹状部（巾木箇所３２）まで巻き込まれ、一方、床３３には帯電防止塩化ビニール系シート３４が敷設され、この床材３４の辺端部３４ａが凹状の巾木箇所３２まで巻き上げられ、これら壁材下端部３１ａと床材辺端部３４ａの取合い部分が、図４の拡大図に示したように、シーリング材３５により巾木箇所３２の入り隅３６で封止される。
【０００４】
以上のように、壁仕上げ材と床仕上げ材との取合い部分をシーリング材により押える従来方法には幾つかの問題点がある。
第一に、壁仕上げ材と床仕上げ材とを端部で接合し得るように、所定以上の寸法精度で両部材の端部を切断加工しなければならず、この切断作業が煩雑である。また第二に、シーリング材の付着状態によっては、壁仕上げ材と床仕上げ材の接合部に剥れが生じる可能性がある。第三に、入り隅部分はシーリング材の充填作業が容易ではなく、施工精度も低くなり易いという問題がある。
【０００５】
なお、クリーンルーム以外の居室における巾木ユニットが、特開平４−１９８５６１号（特許文献１）と、実開昭５６−４９８３１号（特許文献２）とに記載されている。
特許文献１の巾木ユニットは、壁面下端に形成された凹状部に嵌め込まれるものであり、床材の辺端部を内部に収納する収納部と、収納部の差込口を塞ぐための蓋体とを備えるものであり、壁面下端の凹状部は、巾木ユニットの収納部が隙間無く嵌合し得るような寸法精度が求められ、寸法誤差に対する許容度が低いものである。しかも、蓋体が壁面よりも突出するように形成されているため、この蓋体の上端面に埃が溜まり易く、防塵性能は全く期待できないものである。
一方、特許文献２の巾木部材も、壁面下端の凹状部に嵌め込まれるものであり、同様に、壁面下端の凹状部に施工上の寸法誤差が生じた場合には、隙間が生じたり、施工性が低下する可能性がある。
【特許文献１】特開平４−１９８５６１号
【特許文献２】実開昭５６−４９８３１号
【発明の開示】
【発明が解決しようとする課題】
【０００６】
本発明の課題は、壁仕上げ材と床仕上げ材との端部に生じ得る切断寸法の誤差を許容することが可能であり、壁仕上げ材と床仕上げ材の接合部が巾木箇所から剥離することを防止することができて、凹状の巾木箇所の入り隅部分においても比較的良好に施工することができる巾木ユニットを提供することである。
【課題を解決するための手段】
【０００７】
本発明では、壁面よりも引込んで凹状に形成された壁面下端の巾木箇所に設けられる巾木ユニットであって、壁仕上げ材の下端を前記凹状部内で覆うため該凹状部の入り隅に固定される第一の固定部材と、壁面下端に立ち上げられた床仕上げ材の辺端部を壁面で覆うため前記第一の固定部材に係合するように形成された第二の固定部材とを備える巾木ユニットが提供される。
ここで、巾木箇所とは、壁面より引込むように壁面下端に形成された凹状部であって、壁仕上げ材の下端と床仕上げ材の辺端部とが接合される箇所を意味する。
本発明の巾木ユニットでは、第一の固定部材を、凹状の巾木箇所の入り隅に固定するだけで、壁仕上げ材の下端を覆うことができ、また第一の固定部材に第二の固定部材を係合させるだけで、壁面下端に立ち上げられた床仕上げ材の辺端部を覆うことができるので、巾木箇所における両部材の固定作業は比較的容易に実施可能であり、これら接合端部が剥離することを防止できる。また壁仕上げ材と床仕上げ材の切断端部は、第一の固定部材と第二の固定部材により覆われるものであるため、切断端部における寸法誤差の許容度は比較的大きい。
【０００８】
本発明の巾木ユニットにおいて、前記第一の固定部材は、壁仕上げ材の下端を覆う壁材被覆部と、入り隅の壁面に当接して固定される壁面固定部と、前記第二の固定部材を係止し得るように形成された受け部とを備え、前記第二の固定部材は、床仕上げ材の辺端部を壁面で覆う床材被覆部と、前記第一の固定部材の受け部に挿着されて係止する係合部とを備え、前記係合部は前記受け部に挿着するときに弾性変形し得るように形成されたものを使用することが可能である。
本発明の巾木ユニットは、第一の固定部材と第二の固定部材がそれぞれ壁材被覆部と床材被覆部とを有し、これら被覆部が壁仕上げ材と床仕上げ材のそれぞれ端部を覆うように形成されているので、これら仕上げ材の各切断端部に寸法誤差が生じても、これら寸法誤差を許容することが可能である。また第一の固定部材が受け部を有し、第二の固定部材が係合部を有し、この係合部を弾性変形させながら受け部に挿着するだけで、第二の固定部材の取付けが完了するため、巾木箇所における効率的な施工が可能になった。
【発明の効果】
【０００９】
本発明の巾木ユニットは、壁仕上げ材と床仕上げ材の切断端部の寸法誤差を吸収し、見栄えの良好な仕上がりを可能にする。また従来方法のようにシーリング材に依存せず、第一及び第二の固定部材で壁仕上げ材と床仕上げ材の端部を覆うことにより、各端部の剥れを防止することができる。さらに、本発明の巾木ユニットによれば、凹状の巾木箇所の入り隅部分においても、比較的簡易な施工により、埃溜りの防止が可能になる。
【発明を実施するための最良の形態】
【００１０】
以下、図面を参照して本発明の実施形態について説明するが、本発明はこれに限定されるものではない。
【００１１】
本発明に係る巾木ユニット１０は、図１に示したように、壁面２０より引込むように壁面下端に形成された凹状の巾木箇所２１の入り隅２２に固定される第一の固定部材１１と、この第一の固定部材１１に係合するように形成された第二の固定部材１２とから構成される。ここで、巾木箇所２１とは、壁材として躯体２３に固定された二枚の板体２４，２５のうち、外側の板体２５の下端２５ａと床２６との間に形成される凹状の部分である。この巾木箇所２１では、床２６に敷設された床仕上げ材２７の辺端部２７ａが立ち上げられ、また壁面２０に貼着された壁仕上げ材２８の下端２８ａが、外側の板体２５の下端２５ａまで巻き込まれる。
【００１２】
第一の固定部材１１は、図２に示したような断面形状に形成され、壁面下端の入り隅２２に沿って延設される長尺の部材であり、壁仕上げ材２８の下端２８ａを押えるための壁材被覆部１１ａと、壁面に当接して固定される壁面固定部１１ｂとがほぼ直角配置で形成される。壁材被覆部１１ａの上面には概ね３〜５ｍｍ幅の薄肉面１１ｃを設け、この薄肉面１１ｃと板体２５の下端２５ａとの隙間に壁仕上げ材２８の下端２８ａを納める。また壁面固定部１１ｂには貫通孔１１ｄが形成され、ここにビス１３が挿通されて第一の固定部材１１が壁面に固定される。壁面固定部１１ｂの室内側には係止片１１ｅが突出し、壁材被覆部１１ａと壁面固定部１１ｂの交差する部分に溝１１ｆが形成され、これら係止片１１ｅと溝１１ｆとが、第二の固定部材１２を係止するための受け部として機能する。係止片１１ｅには円弧面１１ｅ’あるいはテーパ面が形成される。
なお、壁面固定部１１ｂは、接着剤などにより壁面に貼着しても良く、その場合には、貫通孔１１ｄは不要になる。
【００１３】
第二の固定部材１２も同様に壁面下端の入り隅２２に沿って延設される長尺の部材であり、第一の固定部材１１の受け部に係合する上方フランジ１２ａと下方フランジ１２ｂとが、本体部１２ｃに形成されたものである。上方フランジ１２ａには凸部１２ｄが上面に突設され、この凸部１２ｄが第一の固定部材１１の溝１１ｆに嵌合する一方で、下方フランジ１２ｂには円弧面１２ｂ’あるいはテーパ面が設けられ、この円弧面１２ｂ’あるいはテーパ面は、図２のように前記係止片１１ｅの円弧面１１ｅ’を摺動し得るような形状に形成される。本体部１２ｃは、第一の固定部材１１の係止片１１ｅよりも下方に延びるように形成され、この延長部分１２ｃ’により床仕上げ材２７の辺端部２７ａが覆われる。この延長部分１２ｃ’は概ね１０〜１５ｍｍ幅で形成することが好ましい。
【００１４】
第一の固定部材１１及び第二の固定部材１２は、例えば、塩化ビニールあるいはアルミニュウム等の材料から形成することができる。すなわち、第二の固定部材１２は、第一の固定部材１１の受け部に押し込んで係合させることが可能なように、少なくとも下方フランジ１２ｂを弾性変形可能に形成する必要があり、さらには、第一の固定部材１１の係止片１１ｅ及び第二の固定部材１２の上方フランジ１２ａと下方フランジ１２ｂを弾性変形可能に形成することが好ましい。
【００１５】
以上に説明したように、本発明にかかる巾木ユニット１０は、第一の固定部材１１に壁材被覆部１１ａが所定幅で設けられ、第二の固定部材１２に延長部分１２ｃ’が所定幅で設けられ、これら壁材被覆部１１ａと延長部分１２ｃ’がそれぞれ壁仕上げ材２８と床仕上げ材２７の各端部を覆い隠すものであるため、これら仕上げ材２７，２８の各切断端部に多少の寸法誤差が生じても、これを許容することが可能である。
また第一の固定部材１１が、係止片１１ｅと溝１１ｆからなる受け部を有し、この受け部に嵌合する凸部１２ｄと下方フランジ１２ｂとを第二の固定部材１２が備えているため、最初に凸部１２ｄを溝１１ｆに嵌めてから、下方フランジ１２ｂを係止片１１ｅに突き当て、第二の固定部材１２を押し込めば、円弧面１２ｂ’が円弧面１１ｅ’上を摺動し、第二の固定部材１２を第一の固定部材１１に挿着することができる。したがって、巾木ユニット１０の取付け作業は、入り隅部分においても、比較的容易に実施することが可能である。
【図面の簡単な説明】
【００１６】
【図１】本発明にかかる巾木ユニットの断面図である。
【図２】図１の巾木ユニットの拡大図である。
【図３】従来の巾木箇所における納まりを示した断面図である。
【図４】図３の部分的な拡大図である。
【符号の説明】
【００１７】
１０  巾木ユニット
１１  第一の固定部材
１１ａ  壁材被覆部
１１ｂ  壁面固定部
１１ｅ  係止片（受け部）
１１ｆ  溝（受け部）
１２  第二の固定部材
１２ａ  上方フランジ
１２ｂ  下方フランジ（係合部）
１２ｃ  本体部
１２ｄ  凸部（係合部）
２１  巾木箇所
２７  床仕上げ材
２８  壁仕上げ材
【図１】
2006316445.tif 000003
【図２】
2006316445.tif 000004
【図３】
2006316445.tif 000005
【図４】
2006316445.tif 000006